(57)【要約】【課題】暗視ゴーグルを装着しているユーザがグラフィック画像を見る際の視認性を向上することができる技術を提供する。【解決手段】本発明の画像出力装置は、暗視ゴーグルを装着しているユーザに見せる第１グラフィック画像を表す第１グラフィック画像データ、または、前記暗視ゴーグルを装着していないユーザに見せる第２グラフィック画像を表す第２グラフィック画像データを出力する出力手段、を有し、前記出力手段は、前記第１グラフィック画像データとして、当該第１グラフィック画像データに対応する第２グラフィック画像データに比べ、主要部分の画像サイズが小さいグラフィック画像データを出力する。【選択図】図２
2018182637.tif 000002
【特許請求の範囲】
【請求項１】
暗視ゴーグルを装着しているユーザに見せる第１グラフィック画像を表す第１グラフィック画像データ、または、前記暗視ゴーグルを装着していないユーザに見せる第２グラフィック画像を表す第２グラフィック画像データを出力する出力手段、を有し、
前記出力手段は、前記第１グラフィック画像データとして、当該第１グラフィック画像データに対応する第２グラフィック画像データに比べ、主要部分の画像サイズが小さいグラフィック画像データを出力する
ことを特徴とする画像出力装置。
【請求項２】
前記第１グラフィック画像の画像サイズは前記第２グラフィック画像の画像サイズよりも小さい、または、前記第１グラフィック画像の構成要素は前記第２グラフィック画像の構成要素よりも少ない
ことを特徴とする請求項１に記載の画像出力装置。
【請求項３】
画像データに基づく光を投影装置が投影面に投影することにより、当該画像データに基づく画像が前記投影面に表示され、
前記出力手段は、前記暗視ゴーグルの装着時における前記ユーザの視野よりも小さく前記主要部分が前記投影装置によって表示されるように、前記第１グラフィック画像データを出力する
ことを特徴とする請求項１または２に記載の画像出力装置。
【請求項４】
前記出力手段は、前記投影装置の画角、前記投影装置から前記投影面までの距離、前記暗視ゴーグルの画角、及び、前記暗視ゴーグルから前記投影面までの距離に基づいて、前記第１グラフィック画像データを出力する
ことを特徴とする請求項３に記載の画像出力装置。
【請求項５】
前記投影装置から前記投影面までの距離を示す情報を取得する第１取得手段、をさらに有する
ことを特徴とする請求項４に記載の画像出力装置。
【請求項６】
前記第１取得手段は、前記投影装置の画角を示す情報をさらに取得する
ことを特徴とする請求項５に記載の画像出力装置。
【請求項７】
前記暗視ゴーグルから前記投影面までの距離を示す情報を取得する第２取得手段、をさらに有する
ことを特徴とする請求項４〜６のいずれか１項に記載の画像出力装置。
【請求項８】
前記第２取得手段は、前記暗視ゴーグルの画角を示す情報をさらに取得する
ことを特徴とする請求項７に記載の画像出力装置。
【請求項９】
前記出力手段は、
前記暗視ゴーグルを装着しているユーザに見せる暗視画像が前記投影装置によって表示される場合に、前記第１グラフィック画像データを出力し、
前記投影装置によって暗視画像が表示されなくなるタイミングで、前記第１グラフィック画像データから、当該第１グラフィック画像データに対応する第２グラフィック画像データへ、出力するグラフィック画像データを切り替える
ことを特徴とする請求項３〜８のいずれか１項に記載の画像出力装置。
【請求項１０】
前記投影装置は、暗視画像の表示開始を指示するユーザ操作に応じたタイミングから、
暗視画像の表示終了を指示するユーザ操作に応じたタイミングまでの期間において、暗視画像を表示し、
前記出力手段は、
前記期間において、前記第１グラフィック画像データを出力し、
暗視画像の表示終了を指示する前記ユーザ操作に応じたタイミングで、前記第１グラフィック画像データから、当該第１グラフィック画像データに対応する第２グラフィック画像データへ、出力するグラフィック画像データを切り替える
ことを特徴とする請求項９に記載の画像出力装置。
【請求項１１】
前記投影装置は、前記暗視ゴーグルとの通信が可能な期間において、暗視画像を表示し、
前記出力手段は、
前記期間において、前記第１グラフィック画像データを出力し、
前記投影装置と前記暗視ゴーグルとの通信が不可能になったタイミングで、前記第１グラフィック画像データから、当該第１グラフィック画像データに対応する第２グラフィック画像データへ、出力するグラフィック画像データを切り替える
ことを特徴とする請求項９に記載の画像出力装置。
【請求項１２】
前記出力手段は、
前記第１グラフィック画像データを出力する際に、前記主要部分の画像サイズを指定するユーザ操作を補助する補助画像データを出力し、
前記主要部分の画像サイズを指定する前記ユーザ操作に応じて、前記第１グラフィック画像データを出力する
ことを特徴とする請求項１〜１１のいずれか１項に記載の画像出力装置。
【請求項１３】
前記補助画像データは、前記暗視ゴーグルを装着しているユーザに見せる画像を表す
ことを特徴とする請求項１２に記載の画像出力装置。
【請求項１４】
暗視ゴーグルを装着しているユーザに見せる第１グラフィック画像を表す第１グラフィック画像データ、または、前記暗視ゴーグルを装着していないユーザに見せる第２グラフィック画像を表す第２グラフィック画像データを出力する出力ステップ、を有し、
前記出力ステップでは、前記第１グラフィック画像データとして、当該第１グラフィック画像データに対応する第２グラフィック画像データに比べ、主要部分の画像サイズが小さいグラフィック画像データを出力する
ことを特徴とする画像出力方法。
【請求項１５】
請求項１４に記載の画像出力方法のステップをコンピュータに実行させるためのプログラム。
【発明の詳細な説明】
【技術分野】
【０００１】
本発明は、画像出力装置および画像出力方法に関する。
【背景技術】
【０００２】
近年、夜間にユーザが暗視ゴーグル（暗視装置）を装着して物体を見たときの見えを再現するシミュレータ（夜間訓練用シミュレータ）が用いられている。一般的に、夜間訓練用シミュレータには、赤外光源を用いた投影装置が用いられる。このような投影装置は、赤外光を投影することで、夜間の物体を模した赤外光画像を表示する。ユーザは、赤外光を可視光に変換するＮＶＧ（Ｎｉｇｈｔ  Ｖｉｓｉｏｎ  Ｇｏｇｇｌｅ）などの暗視ゴーグルを装着して赤外光画像を確認し、訓練を行うことができる。
【０００３】
一般的に、投影装置は、メニューなどのグラフィック画像を投影により表示することができる（特許文献１）。例えば、投影装置は、投影画像の画質、投影画像の形状、等の調整のためのメニューを、ＯＳＤ（Ｏｎ  Ｓｃｒｅｅｎ  Ｄｉｓｐｌａｙ）画像として重畳表示する。そして、ユーザは、メニュー画像、投影画像、等を確認して、リモコン、投影装置本体に設けられた操作ボタン、等に対する操作を行う。
【先行技術文献】
【特許文献】
【０００４】
【特許文献１】特開２０１２−１７３３７８号公報
【発明の概要】
【発明が解決しようとする課題】
【０００５】
しかしながら、ＮＶＧの装着時におけるユーザの視野は狭い。そのため、ＮＶＧを装着しているユーザは、ＯＳＤ画像を容易に確認することができず、赤外光画像（ＯＳＤ画像、夜間の物体を模した画像、等）の確認結果に基づく操作を容易に行うことができない。そして、視野が狭いからといって、ＮＶＧを外すと、ユーザは、赤外光画像を確認することができず、赤外光画像の確認結果に基づく操作を行うことができない。
【０００６】
そこで、本発明は、暗視ゴーグルを装着しているユーザがグラフィック画像を見る際の視認性を向上することができる技術を提供することを目的とする。
【課題を解決するための手段】
【０００７】
本発明の第１の態様は、
暗視ゴーグルを装着しているユーザに見せる第１グラフィック画像を表す第１グラフィック画像データ、または、前記暗視ゴーグルを装着していないユーザに見せる第２グラフィック画像を表す第２グラフィック画像データを出力する出力手段、を有し、
前記出力手段は、前記第１グラフィック画像データとして、当該第１グラフィック画像データに対応する第２グラフィック画像データに比べ、主要部分の画像サイズが小さいグラフィック画像データを出力する
ことを特徴とする画像出力装置である。
【０００８】
本発明の第２の態様は、
暗視ゴーグルを装着しているユーザに見せる第１グラフィック画像を表す第１グラフィック画像データ、または、前記暗視ゴーグルを装着していないユーザに見せる第２グラフィック画像を表す第２グラフィック画像データを出力する出力ステップ、を有し、
前記出力ステップでは、前記第１グラフィック画像データとして、当該第１グラフィッ
ク画像データに対応する第２グラフィック画像データに比べ、主要部分の画像サイズが小さいグラフィック画像データを出力する
ことを特徴とする画像出力方法である。
【０００９】
本発明の第３の態様は、上述した画像出力方法のステップをコンピュータに実行させるためのプログラムである。
【発明の効果】
【００１０】
本発明によれば、暗視ゴーグルを装着しているユーザがグラフィック画像を見る際の視認性を向上することができる。
【図面の簡単な説明】
【００１１】
【図１】実施例１〜６に係る表示システムの構成例を示す概略図
【図２】実施例１〜６に係る液晶プロジェクタの構成例を示すブロック図
【図３】実施例１〜６に係るＮＶＧの構成例を示すブロック図
【図４】実施例１に係る液晶プロジェクタの処理フロー例を示すフローチャート
【図５】実施例１〜６に係るグラフィック画像の一例を示す図
【図６】実施例１〜４に係る縮小率の決定方法の一例を示す図
【図７】実施例１〜４に係る通信の手順例を示すシーケンス図
【図８】実施例２に係る液晶プロジェクタの処理フロー例を示すフローチャート
【図９】実施例３に係る液晶プロジェクタの処理フロー例を示すフローチャート
【図１０】実施例４に係る液晶プロジェクタの処理フロー例を示すフローチャート
【図１１】実施例５に係る液晶プロジェクタの処理フロー例を示すフローチャート
【図１２】実施例５，６に係る補助画像の一例を示す図
【図１３】実施例６に係る液晶プロジェクタの処理フロー例を示すフローチャート
【発明を実施するための形態】
【００１２】
＜実施例１＞
本発明の実施例１について説明する。以下では、本実施例に係る画像出力装置が投影装置に設けられている例を説明する。投影装置は特に限定されない。投影装置には、液晶プロジェクタ、ＤＬＰプロジェクタ、等がある。液晶プロジェクタの方式は特に限定されない。液晶プロジェクタの方式には、単板式、３板式、等がある。ＤＬＰプロジェクタは、表示デバイスとしてＤＭＤ（Ｄｉｇｉｔａｌ  Ｍｉｒｒｏｒ  Ｄｅｖｉｃｅ）などを有する。なお、画像出力装置は、投影装置とは別体の装置であってもよい。例えば、画像出力装置は、パーソナルコンピュータ（ＰＣ）、デジタルカメラ、携帯電話、スマートフォン、ブルーレイプレーヤ、ハードディスクレコーダ、ゲーム機、等であってもよい。
【００１３】
＜表示システムの構成＞
図１は、本実施例に係る表示システムの構成例を示す概略図である。図１の表示システムは、例えば、各種訓練のために使用される。図１に示すように、本実施例に係る表示システムは、液晶プロジェクタ１００、データ源１０１、ＮＶＧ１０７、サーバ１１０、等を有する。
【００１４】
液晶プロジェクタ１００は、ビデオケーブル１０２，１０３を用いてデータ源１０１に接続されている。データ源１０１は、パーソナルコンピュータ、デジタルカメラ、携帯電話、スマートフォン、ブルーレイプレーヤ、ハードディスクレコーダ、ゲーム機、等である。ビデオケーブル１０２，１０３のそれぞれは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）ケーブルなどである。
【００１５】
さらに、液晶プロジェクタ１００は、ネットワークケーブル１０８を用いてネットワーク１０９に接続されており、ネットワーク１０９にはサーバ１１０が接続されている。そして、液晶プロジェクタ１００は、ネットワークケーブル１０８とネットワーク１０９を介して、サーバ１１０と通信を行うことができる。ネットワークケーブル１０８は、Ｅｔｈｅｒｎｅｔ（登録商標）ケーブルなどである。
【００１６】
液晶プロジェクタ１００は、受信した画像データに基づく光をスクリーン（投影面）１０４に投影することにより、当該画像データに基づく投影画像１０５をスクリーン１０４に表示（形成）する。液晶プロジェクタ１００は、投影画像１０５として、可視画像、難視画像、等を表示することができる。可視画像は、裸眼で（容易に）見ることのできる画像である。例えば、可視画像は、可視光成分（赤色光成分、緑色光成分、青色光成分、等）を含む画像であり、液晶プロジェクタ１００は、可視光成分を含む光の投影により可視画像を表示する。以後、可視画像を「ＲＧＢ画像」と記載する。難視画像は、裸眼で見ることのできない画像、裸眼で見ることが困難な画像、等である。例えば、難視画像は、可視光成分を略含まず且つ赤外光成分を含む画像であり、液晶プロジェクタ１００は、可視光成分を略含まず且つ赤外光成分を含む光の投影により難視画像を表示する。以後、難視画像を「ＩＲ（Ｉｎｆｒａｒｅｄ）画像」と記載する。「略」は「完全」を含む。
【００１７】
本実施例では、液晶プロジェクタ１００は、ＲＧＢ画像を表すＲＧＢ画像データを、ビデオケーブル１０２を介してデータ源１０１から受信することができる。そして、液晶プロジェクタ１００は、ＩＲ画像を表すＩＲ画像データを、ビデオケーブル１０３を介してデータ源１０１から受信することができる。さらに、液晶プロジェクタ１００は、ネットワークケーブル１０８とネットワーク１０９を介して、サーバ１１０から、ＲＧＢ画像データ、ＩＲ画像データ、等を受信することができる。
【００１８】
ＮＶＧ（Ｎｉｇｈｔ  Ｖｉｓｉｏｎ  Ｇｏｇｇｌｅ）１０７は、ＩＲ画像を可視画像に変換する暗視ゴーグル（暗視装置）である。本実施例では、ＮＶＧ１０７の変換によって得られる可視画像を、液晶プロジェクタ１００によって表示された可視画像（ＲＧＢ画像）と区別するために、ＮＶＧ１０７の変換によって得られる可視画像を「ＲＧＢ画像」とは記載しない。なお、ＮＶＧ１０７とは異なる暗視ゴーグルが使用されてもよい。
【００１９】
ＮＶＧ１０７を装着していない訓練者（ユーザ）１０６は、液晶プロジェクタ１００によって表示されたＲＧＢ画像を（容易に）見ることができるが、液晶プロジェクタ１００によって表示されたＩＲ画像を（容易に）見ることができない。一方で、ＮＶＧ１０７を装着している訓練者１０６は、液晶プロジェクタ１００によって表示されたＩＲ画像を間接的に見ることができる。そのため、ＲＧＢ画像は「ＮＶＧ１０７を装着していない訓練者１０６に見せる画像」とも言え、ＩＲ画像は「ＮＶＧ１０７を装着している訓練者１０６に見せる画像」とも言える。
【００２０】
本実施例に係る表示システムでは、昼間を想定した訓練のために、明るいＲＧＢ画像が表示される。訓練者１０６は、ＮＶＧ１０７を装着せずにＲＧＢ画像を確認しながら、昼間を想定した訓練を行うことができる。さらに、本実施例に係る表示システムでは、夜間を想定した訓練のために、ＩＲ画像が表示される。訓練者１０６は、ＮＶＧ１０７を装着してＩＲ画像を確認しながら、夜間を想定した訓練を行うことができる。夜間を想定した訓練時には、黒色のＲＧＢ画像、黒色に近いＲＧＢ画像、等がさらに表示される。夜間を想定した訓練時にＲＧＢ画像が表示されなくてもよい。
【００２１】
＜液晶プロジェクタの構成＞
図２は、液晶プロジェクタ１００の構成例を示すブロック図である。ＣＰＵ２０２は、液晶プロジェクタ１００の各機能部の処理を制御する。ＲＯＭ２０３は、各種データを予
め記憶する。例えば、ＲＯＭ２０３には、ＣＰＵ２０２の処理手順が記述された制御プログラムが予め記録される。また、ＲＯＭ２０３には、図５（Ａ）の調整メニュー５０１、図５（Ｅ）の警告メッセージ５０５、等のＯＳＤ（Ｏｎ  Ｓｃｒｅｅｎ  Ｄｉｓｐｌａｙ）画像を表すＯＳＤ画像データが予め記録される。ＲＡＭ２０４は、各種データを一時的に記憶するワークメモリである。
【００２２】
操作部２０５は、訓練者１０６、他のユーザ（操作者）、等からの指示（ユーザ操作）を受け付ける。そして、操作部２０５は、ユーザからの指示に応じた指示信号をＣＰＵ２０２へ送信する。操作部２０５は、スイッチ、ダイヤル、表示部２１８上に設けられたタッチパネル、等である。操作部２０５は、リモートコントローラからの信号を受信し、受信した信号に応じた指示信号をＣＰＵ２０２へ送信してもよい。ＣＰＵ２０２は、操作部２０５からの指示信号に応じて、液晶プロジェクタ１００の各機能部の処理を制御する。
【００２３】
ＲＧＢ画像入力部２０６は、ビデオケーブル１０２を介してデータ源１０１からＲＧＢ画像データを受信し、受信したＲＧＢ画像データを画像処理部２０８へ送信する。ＲＧＢ画像入力部２０６がＲＧＢ画像データとしてアナログ画像信号を受信した場合には、ＲＧＢ画像入力部２０６は、受信したアナログ画像信号をデジタル画像信号へ変換し、デジタル画像信号であるＲＧＢ画像データを画像処理部２０８へ送信する。
【００２４】
ＩＲ画像入力部２０７は、ビデオケーブル１０３を介してデータ源１０１からＩＲ画像データを受信し、受信したＩＲ画像データを画像処理部２０８へ送信する。ＩＲ画像入力部２０７がＩＲ画像データとしてアナログ画像信号を受信した場合には、ＩＲ画像入力部２０７は、受信したアナログ画像信号をデジタル画像信号へ変換し、デジタル画像信号であるＩＲ画像データを画像処理部２０８へ送信する。
【００２５】
ＲＧＢ画像入力部２０６とＩＲ画像入力部２０７のそれぞれは、コンポジット端子、Ｓ端子、Ｄ端子、コンポーネント端子、アナログＲＧＢ端子、ＤＶＩ−Ｉ端子、ＤＶＩ−Ｄ端子、ＨＤＭＩ（登録商標）端子，ＤｉｓｐｌａｙＰｏｒｔ（登録商標）、等である。なお、ＲＧＢ画像入力部２０６とＩＲ画像入力部２０７のそれぞれは、データ源１０１から無線で画像データを受信してもよい。
【００２６】
画像処理部２０８は、ＲＧＢ画像入力部２０６から受信したＲＧＢ画像データ、ＩＲ画像入力部２０７から受信したＩＲ画像データ、等に画像処理を施し、画像処理が施された後の画像データを液晶制御部２０９へ送信する。画像処理部２０８は、１つ以上のマイクロプロセッサ、１つ以上の論理回路からなるＡＳＩＣ、等によって構成される。なお、ＲＯＭ２０３に記憶されたプログラムをＣＰＵ２０２が実行することにより、画像処理部２０８の機能が実現されてもよい。
【００２７】
画像処理部２０８は、上記画像処理として、フレーム数を変更する処理（フレーム間引き処理、フレーム補間処理、等）、画素数を変更する処理（解像度変換処理）、等を行ことができる。画像処理部２０８は、上記画像処理として、画像の形状を変更する処理（幾何学補正処理；キーストン補正処理、曲面補正処理、等）、画像を合成する処理（画像合成処理）、階調値を変更する処理（パネル補正処理）、等を行うこともできる。画像合成処理は、ＲＧＢ画像入力部２０６、ＩＲ画像入力部２０７、等から受信した画像データに基づく画像に、ＲＯＭ２０３に記録されたＯＤＳ画像データに基づくＯＳＤ画像が重ねられるように、それらの画像データを合成するＯＳＤ合成処理である。
【００２８】
なお、画像処理部２０８は、様々な画像データを受信することができ、様々な画像データに画像処理を施すことができ、様々な画像データを液晶制御部２０９へ送信することができる。例えば、画像処理部２０８は、ＣＰＵ２０２によって生成された画像データに画
像処理を施し、画像処理が施された後の画像データを液晶制御部２０９へ送信することができる。画像処理部２０８は、通信部２１６から受信した画像データに画像処理を施し、画像処理が施された後の画像データを液晶制御部２０９へ送信することができる。
【００２９】
画像合成処理はＯＳＤ合成処理に限られない。例えば、画像が他の画像に重ねられずに複数の画像データに基づく複数の画像が所定方向に並べられるように当該複数の画像データを合成する処理が、画像合成処理として行われてもよい。
【００３０】
液晶制御部２０９は、画像処理部２０８から受信した画像データに基づいて液晶素子２１０Ｒ，２１０Ｇ，２１０Ｂ，２１０ＩＲに印可する電圧を制御することにより、液晶素子２１０Ｒ，２１０Ｇ，２１０Ｂ，２１０ＩＲの透過率を制御する。例えば、液晶制御部２０９は、画像処理部２０８から受信した画像データの各フレームについて、フレームに対応する透過率へ、液晶素子２１０Ｒ，２１０Ｇ，２１０Ｂ，２１０ＩＲの透過率を制御する。液晶制御部２０９は、１つ以上のマイクロプロセッサ、１つ以上の論理回路からなるＡＳＩＣ、等によって構成される。なお、ＲＯＭ２０３に記憶されたプログラムをＣＰＵ２０２が実行することにより、液晶制御部２０９の機能が実現されてもよい。
【００３１】
液晶素子２１０Ｒは、ＲＧＢ光源２００から出力された光から色分離部２１１によって得られた赤色光を透過する。液晶素子２１０Ｇは、ＲＧＢ光源２００から出力された光から色分離部２１１によって得られた緑色光を透過する。液晶素子２１０Ｂは、ＲＧＢ光源２００から出力された光から色分離部２１１によって得られた青色光を透過する。液晶素子２１０ＩＲは、ＩＲ光源２０１から出力された赤外光を透過する。
【００３２】
光源制御部２１２は、ＲＧＢ光源２００の発光状態（点灯／消灯）、ＩＲ光源２０１の発光状態、ＲＧＢ光源２００の発光量、ＩＲ光源２０１の発光量、等を制御する。光源制御部２１２は、１つ以上のマイクロプロセッサ、１つ以上の論理回路からなるＡＳＩＣ、等によって構成される。なお、ＲＯＭ２０３に記憶されたプログラムをＣＰＵ２０２が実行することにより、光源制御部２１２の機能が実現されてもよい。
【００３３】
ＲＧＢ光源２００は、ＲＧＢ画像を表示するための光を出力する。本実施例では、ＲＧＢ光源２００は、赤色光成分、緑色光成分、及び、青色光成分を含む光を出力する。ＩＲ光源２０１は、ＩＲ画像を表示するための光を出力する。本実施例では、ＩＲ光源２０１は、赤外光を出力する。ＲＧＢ光源２００とＩＲ光源２０１のそれぞれは、ハロゲンランプ、キセノンランプ、高圧水銀ランプ、ＬＥＤ（発光ダイオード）、レーザーダイオード、等である。ＲＧＢ光源２００とＩＲ光源２０１のそれぞれは、レーザーダイオードと、レーザーダイオードから出力された光によって励起が引き起こされる蛍光体とを有する光源であってもよい。この光源では、上記励起により、レーザーダイオードから出力された光の波長が変換される。
【００３４】
色分離部２１１は、ＲＧＢ光源２００から出力された光を、赤色光、緑色光、及び、青色光に分離する。例えば、色分離部２１１は、ダイクロイックミラー、プリズム、等からなる。なお、赤色光を発する光源、緑色光を発する光源、及び、青色光を発する光源がＲＧＢ光源２００として使用される場合には、液晶プロジェクタ１００は色分離部２１１を有していなくてもよい。
【００３５】
色合成部２１３は、液晶素子２１０Ｒを透過した赤色光、液晶素子２１０Ｇを透過した緑色光、液晶素子２１０Ｂを透過した青色光、及び、液晶素子２１０ＩＲを透過した赤外光を合成する。例えば、色合成部２１３は、ダイクロイックミラー、プリズム、等からなる。色合成部２１３による合成後の光（合成光）は、投影光学系２１４に送られる。
【００３６】
投影光学系２１４は、色合成部２１３から出力された合成光をスクリーン１０４に投影する。上述したように、液晶素子２１０Ｒ，２１０Ｇ，２１０Ｂ，２１０ＩＲの透過率は、画像処理部２０８から送信された画像データに基づいて制御される。そのため、画像処理部２０８から送信された画像データに基づく合成光がスクリーン１０４に投影される。その結果、画像処理部２０８から送信された画像データに基づく画像（ＲＧＢ画像、ＩＲ画像、等）が投影画像１０５としてスクリーン１０４に表示される。例えば、投影光学系２１４は、複数のレンズ、アクチュエータ、等からなる。投影光学系２１４のアクチュエータが投影光学系２１４のレンズを駆動することにより、投影画像１０５の拡大、縮小、焦点調整、レンズシフト、等を行うことができる。
【００３７】
光学系制御部２１５は、投影光学系２１４の状態を制御する。例えば、光学系制御部２１５は、アクチュエータの処理を制御することによりレンズの状態を制御する。光学系制御部２１５は、１つ以上のマイクロプロセッサ、１つ以上の論理回路からなるＡＳＩＣ、等によって構成される。なお、ＲＯＭ２０３に記憶されたプログラムをＣＰＵ２０２が実行することにより、光学系制御部２１５の機能が実現されてもよい。
【００３８】
通信部２１６は、外部機器との通信を行うことにより、外部機器から制御信号を受信したり、外部機器から画像データを受信したりすることができる。例えば、通信部２１６は、ネットワークケーブル１０８とネットワーク１０９を介して、サーバ１１０と通信を行う。通信部２１６は、受信した制御信号をＣＰＵ２０２へ送信し、受信した画像データを画像処理部２０８へ送信する。ＣＰＵ２０２は、通信部２１６からの制御信号に応じて、液晶プロジェクタ１００の各機能部の処理を制御する。通信部２１６は、ＬＡＮ端子、ＵＳＢ端子、等である。なお、通信部２１６は、外部機器と無線で通信を行う無線通信部であってもよい。無線通信部は、無線ＬＡＮユニット、Ｂｌｕｅｔｏｏｔｈ（登録商標）ユニット、等である。
【００３９】
表示制御部２１７は、液晶プロジェクタ１００に対する操作のための画像（操作画面、スイッチ、アイコン、等）などを表示部２１８に表示する表示制御を行う。表示制御部２１７は、１つ以上のマイクロプロセッサ、１つ以上の論理回路からなるＡＳＩＣ、等によって構成される。なお、ＲＯＭ２０３に記憶されたプログラムをＣＰＵ２０２が実行することにより、表示制御部２１７の機能が実現されてもよい。
【００４０】
表示部２１８は、液晶プロジェクタ１００に対する操作のための画像などを表示する。表示部２１８は、液晶表示部、ＣＲＴ表示部、有機ＥＬ表示部、ＬＥＤ表示部、ＬＥＤ、それらうちの２つ以上の組み合わせ、等である。
【００４１】
撮像部２１９は、スクリーン１０４を撮像し、撮像結果（撮像によって得られた画像データ；撮像データ）を画像処理部２０８へ送信する。ＣＰＵ２０２は、画像処理部２０８へ送信された撮像データに基づいて、液晶プロジェクタ１００からスクリーン１０４までの距離を示すプロジェクタ距離情報を取得する。例えば、撮像部２１９は、撮像素子とフォーカスレンズからなる。ＣＰＵ２０２は、画像処理部２０８へ送信された撮像データに基づいて、高周波成分をより多く含む撮像データが得られるように、フォーカスレンズの位置を制御する。そして、ＣＰＵ２０２は、高周波成分を最も多く含む撮像データが得られたときのフォーカスレンズの位置（合焦位置）に応じて、液晶プロジェクタ１００からスクリーン１０４までの距離を判断する。
【００４２】
なお、プロジェクタ距離情報の取得方法は特に限定されない。例えば、撮像部２１９の代わりに測距センサを用いて、液晶プロジェクタ１００からスクリーン１０４までの距離が検出されてもよい。本実施例に係る画像出力装置が液晶プロジェクタ１００とは別体の装置である場合には、例えば、画像出力装置は、プロジェクタ距離情報を液晶プロジェク
タ１００から取得する。
【００４３】
＜ＮＶＧの構成＞
図３は、ＮＶＧ１０７の構成例を示すブロック図である。対物レンズ３００は、スクリーン１０４で反射した光を像変換部３０１へ導く。像変換部３０１は、対物レンズ３００からの光を変換し、変換後の光を接眼レンズ３０２へ導く。例えば、像変換部３０１は、光増倍管などから構成され、入射した光の強度を光増倍管を用いて増幅する。さらに、像変換部３０１は、赤外光を可視光に変換する。像変換部３０１は、接眼レンズ３０２を介して訓練者１０６が正立像を見ることができるように、変換後の光によって形成される像を反転する光学系を有していてもよい。上記光学系では、例えば、プリズム、光ファイバ、等が使用される。接眼レンズ３０２は、像変換部３０１からの光を、ＮＶＧ１０７を装着している訓練者１０６の目に導く。訓練者１０６は、像変換部３０１からの光によって形成される像（ＩＲ画像を変換して得られる可視画像）を、接眼レンズ３０２を介して見ることができる。
【００４４】
電源部３０３は、像変換部３０１に電力を供給する回路である。制御部３０４は、ＮＶＧ１０７の各機能部の処理を制御するマイクロコンピュータである。通信部３０５は、無線または有線で外部機器と通信を行うインタフェースである。通信部３０５は、Ｅｔｈｅｒｎｅｔ（登録商標）、無線ＬＡＮ、Ｂｌｕｅｔｏｏｔｈ（登録商標）、等の通信方式に対応する通信回路を用いて構成される。なお、通信方式は特に限定されない。
【００４５】
記憶部３０６は、制御部３０４からの指示に従い、データの記憶、データの読み出し、等を行う不揮発性メモリである。ＮＶＧ１０７（対物レンズ３００など）の特性に関する情報が記憶部３０６に予め記録されてもよい。ここで、ＮＶＧ１０７を装着している訓練者１０６が見る可視画像のズーム比（拡大率）が変更されるように対物レンズ３００の位置を変更することができる場合を考える。この場合には、ＮＶＧ１０７（対物レンズ３００）の画角として、複数のズーム比にそれぞれ対応する複数の画角を示す情報が、記憶部３０６に予め記録されてもよい。「画角」は「視野角」とも言える。
【００４６】
操作部３０７は、訓練者１０６からの指示（ユーザ操作）を受け付ける。例えば、操作部３０７は、ＮＶＧ１０７の使用開始を指示するユーザ操作、ＮＶＧ１０７の使用終了を指示するユーザ操作、等を受け付ける。そして、操作部３０７は、訓練者１０６からの指示に応じた指示信号を制御部３０４へ送信する。操作部３０７は、ボタンなどである。制御部３０４は、操作部３０７からの指示信号に応じて、ＮＶＧ１０７の各機能部の処理を制御する。
【００４７】
撮像部３０８は、スクリーン１０４を撮像し、撮像結果（撮像によって得られた画像データ；撮像データ）を制御部３０４へ送信する。制御部３０４は、撮像部３０８から送信された撮像データに基づいて、ＮＶＧ１０７からスクリーン１０４までの距離を示すゴーグル距離情報を取得する。例えば、撮像部３０８は、撮像素子とフォーカスレンズからなる。制御部３０４は、撮像部３０８から送信された撮像データに基づいて、高周波成分をより多く含む撮像データが得られるように、フォーカスレンズの位置を制御する。そして、制御部３０４は、高周波成分を最も多く含む撮像データが得られたときのフォーカスレンズの位置（合焦位置）に応じて、ＮＶＧ１０７からスクリーン１０４までの距離を判断する。
【００４８】
なお、撮像部３０８のフォーカスレンズが対物レンズ３００とは異なるレンズであってもよいし、対物レンズ３００が撮像部３０８のフォーカスレンズとして流用されてもよい。また、ゴーグル距離情報の取得方法は特に限定されない。例えば、撮像部３０８の代わりに測距センサを用いて、ＮＶＧ１０７からスクリーン１０４までの距離が検出されても
よい。
【００４９】
＜液晶プロジェクタの処理フロー＞
図４は、液晶プロジェクタ１００の処理フロー例を示すフローチャートである。まず、Ｓ４０１にて、液晶プロジェクタ１００が図４の処理フローを開始する。例えば、ＣＰＵ２０２が操作部２０５から処理開始信号を受信すると、図４の処理フローが開始される。操作部２０５は、図４の処理フローの開始を指示するユーザ操作に応じて、指示信号である処理開始信号をＣＰＵ２０２へ送信する。
【００５０】
次に、Ｓ４０２にて、ＣＰＵ２０２が、ＩＲ画像（暗視画像）の表示が行われるか否かを判断する。本実施例では、液晶プロジェクタ１００は、ＩＲ画像の表示開始を指示するユーザ操作に応じたタイミングから、ＩＲ画像の表示終了を指示するユーザ操作に応じたタイミングまでの期間において、ＩＲ画像を表示する。具体的には、ＩＲ画像の表示開始を指示するユーザ操作に応じた指示信号をＣＰＵ２０２が操作部２０５から受信すると、ＣＰＵ２０２が種々の処理を行うことにより、ＩＲ画像の表示が開始される。そして、ＩＲ画像の表示終了を指示するユーザ操作に応じた指示信号をＣＰＵ２０２が操作部２０５から受信すると、ＣＰＵ２０２が種々の処理を行うことにより、ＩＲ画像の表示が終了される。ＩＲ画像の表示が行われない期間では、液晶プロジェクタ１００は、ＲＧＢ画像を表示したり、画像を表示しなかったりする。ＣＰＵ２０２は、操作部２０５からの指示信号を監視することにより、Ｓ４０２の処理を実現することができる。
【００５１】
ＩＲ画像の表示が行われると判断された場合には、Ｓ４０２からＳ４０３へ処理が進められる。ＩＲ画像の表示が行われないと判断された場合には、Ｓ４０２からＳ４１３へ処理が進められる。
【００５２】
Ｓ４０３にて、ＣＰＵ２０２が、上述した処理により、液晶プロジェクタ１００からスクリーン１０４までの現在の距離を示すプロジェクタ距離情報を取得する。
【００５３】
そして、Ｓ４０４にて、ＣＰＵ２０２が、液晶プロジェクタ１００の画角（投影光学系２１４に含まれた投影レンズの画角）を示すプロジェクタ画角情報を取得する。プロジェクタ画角情報は、ＲＯＭ２０３に予め記録されてもよいし、他のメモリに予め記録されてもよい。例えば、投影光学系２１４がメモリを有し、投影光学系２１４のメモリにプロジェクタ画角情報が予め記録されてもよい。投影画像１０５の画像サイズが変更されるように投影レンズの位置を変更することができる場合には、複数の画像サイズにそれぞれ対応する複数のプロジェクタ画角情報が予め用意されてもよい。Ｓ４０４では、液晶プロジェクタ１００の現在の画角を示すプロジェクタ画角情報が取得される。本実施例に係る画像出力装置が液晶プロジェクタ１００とは別体の装置である場合には、例えば、画像出力装置は、プロジェクタ画角情報を液晶プロジェクタ１００から取得する。
【００５４】
次に、Ｓ４０５にて、ＣＰＵ２０２が通信部２１６を介してＮＶＧ１０７と通信可能か否かを、ＣＰＵ２０２が判断する。ＣＰＵ２０２がＮＶＧ１０７と通信可能であると判断された場合には、Ｓ４０６へ処理が進められる。ＣＰＵ２０２がＮＶＧ１０７と通信可能でないと判断された場合には、Ｓ４１３へ処理が進められる。
【００５５】
図７は、液晶プロジェクタ１００とＮＶＧ１０７との間の通信の手順例を示すシーケンス図である。まず、ユーザ（訓練者１０６、操作者、等）が液晶プロジェクタ１００に対してＩＲ投影指示７００を行うと、液晶プロジェクタ１００のＣＰＵ２０２は、通信部２１６を介してＮＶＧ１０７へ接続要求７０２を送信する。ＩＲ投影指示７００は、ＩＲ画像の表示開始の指示である。訓練者１０６がＮＶＧ１０７に対して暗視指示（ＩＲ画像の確認の指示）７０１を既に行っている場合には、ＮＶＧ１０７の制御部３０４は、接続要
求７０２に応じて、通信部３０５を介して液晶プロジェクタ１００へ接続許可７０３を送信する。
【００５６】
接続要求７０２の送信から所定時間（例えば１０秒程度）以内にＣＰＵ２０２が接続許可７０３を受信した場合には、Ｓ４０５にて、ＣＰＵ２０２は、ＣＰＵ２０２がＮＶＧ１０７と通信可能であると判断する。接続要求７０２の送信から所定時間以内にＣＰＵ２０２が接続許可７０３を受信しなかった場合には、ＣＰＵ２０２は、ＣＰＵ２０２がＮＶＧ１０７と通信可能でないと判断する。
【００５７】
Ｓ４０６にて、ＣＰＵ２０２が、通信部２１６を介してＮＶＧ１０７から、ＮＶＧ１０７（対物レンズ３００）の現在の画角を示すゴーグル画角情報を取得する。具体的には、液晶プロジェクタ１００のＣＰＵ２０２は、通信部２１６を介してＮＶＧ１０７へ、図７のデータ送信要求７０４を送信する。ＮＶＧ１０７の制御部３０４は、データ送信要求７０４に応じて、ゴーグル画角情報７０５を記憶部３０６から読み出し、通信部３０５を介して液晶プロジェクタ１００へゴーグル画角情報７０５を送信する。そして、ＣＰＵ２０２は、通信部２１６を介してＮＶＧ１０７からゴーグル画角情報７０５を受信する。
【００５８】
次に、Ｓ４０７にて、ＣＰＵ２０２が、通信部２１６を介してＮＶＧ１０７から、ＮＶＧ１０７からスクリーン１０４までの現在の距離を示すゴーグル距離情報を取得する。そして、Ｓ４０８へ処理が進められる。具体的には、ＮＶＧ１０７の制御部３０４は、データ送信要求７０４に応じて、上述した処理により図７のゴーグル距離情報７０６を生成し、通信部３０５を介して液晶プロジェクタ１００へゴーグル距離情報７０６を送信する。そして、ＣＰＵ２０２は、通信部２１６を介してＮＶＧ１０７からゴーグル距離情報７０６を受信する。
【００５９】
一般的に、ＮＶＧ１０７の装着時における訓練者１０６の視野は狭い。そのため、ＮＶＧ１０７を装着している訓練者１０６は、液晶プロジェクタ１００によって表示されたグラフィック画像（例えばＯＳＤ画像）を容易に確認することができない。なお、グラフィック画像はＯＳＤ画像に限られない。グラフィック画像は、図５（Ａ）の調整メニュー５０１、図５（Ｅ）の警告メッセージ５０５、等の、液晶プロジェクタ１００に関連した画像でなくてもよい。例えば、グラフィック画像は、液晶プロジェクタ１００とは異なる装置に関連したメニューであってもよい。
【００６０】
図５（Ａ）の調整メニュー５０１がそのままの大きさで表示される場合を考える。この場合には、図５（Ｂ）に示すように、ＮＶＧ１０７を装着している訓練者１０６は、調整メニュー５０１の一部しか確認することができず、調整メニュー５０１を用いたユーザ操作を容易に行うことができない。領域５０２は、ＮＶＧ１０７を装着している訓練者１０６の視野外の領域である。図５（Ｅ）の警告メッセージ５０５がそのままの大きさで表示される場合を考える。この場合には、図５（Ｆ）に示すように、ＮＶＧ１０７を装着している訓練者１０６は、調整メニュー５０１の一部しか確認することができず、警告メッセージ５０５の内容を容易に読み取ることができない。
【００６１】
そこで、Ｓ４０８にて、ＣＰＵ２０２が、所定のグラフィック画像を縮小する縮小率を決定する。本実施例では、ＣＰＵ２０２は、ＮＶＧ１０７を装着している訓練者１０６の視野よりも小さくグラフィック画像全体を表示することができる縮小率を決定する。本実施例では、ＣＰＵ２０２は、液晶プロジェクタ１００の画角、液晶プロジェクタ１００からスクリーン１０４までの距離、ＮＶＧ１０７の画角、及び、ＮＶＧ１０７からスクリーン１０４までの距離に基づいて、縮小率を決定する。
【００６２】
具体的には、まず、ＣＰＵ２０２は、Ｓ４０３で取得したプロジェクタ距離情報と、Ｓ
４０４で取得したプロジェクタ画角情報とから、投影画像１０５全体のサイズを算出する。また、ＣＰＵ２０２は、Ｓ４０６で取得したゴーグル画角情報と、Ｓ４０７で取得したゴーグル距離情報とから、ＮＶＧ１０７を装着している訓練者１０６の視野のサイズを算出する。換言すれば、ＣＰＵ２０２は、ゴーグル画角情報とゴーグル距離情報とから、投影画像１０５における、ＮＶＧ１０７を装着している訓練者１０６が確認できる部分のサイズを算出する。
【００６３】
図６（Ａ）は、液晶プロジェクタ１００とスクリーン１０４との位置関係の一例を示す模式図である。ここでは、説明の簡略化のために、液晶プロジェクタ１００がスクリーン１０４に正対しているものとする。ＣＰＵ２０２は、以下の式１を用いて、投影画像１０５の所定方向におけるサイズＰａを算出する。式１において、「Ｄｐ」は、液晶プロジェクタ１００からスクリーン１０４までの距離であり、「θａ」は、液晶プロジェクタ１００の所定方向における画角である。
Ｐａ＝２×Ｄｐ×ｔａｎ（θａ／２）  ・・・（式１）
【００６４】
ＣＰＵ２０２は、画角θａとして垂直方向における画角を用いることにより、サイズＰａとして垂直方向におけるサイズを算出する。同様に、ＣＰＵ２０２は、画角θａとして水平方向における画角を用いることにより、サイズＰａとして水平方向におけるサイズを算出する。そして、ＣＰＵ２０２は、垂直方向のサイズに水平方向のサイズを乗算することにより、投影画像１０５全体のサイズを算出する。
【００６５】
図６（Ｂ）は、ＮＶＧ１０７とスクリーン１０４との位置関係の一例を示す模式図である。ここでは、説明の簡略化のために、ＮＶＧ１０７がスクリーン１０４は正対しているものとする。ＣＰＵ２０２は、以下の式２を用いて、ＮＶＧ１０７を装着している訓練者１０６の視野の所定方向におけるサイズＧｂを算出する。式２において、「Ｄｇ」は、ＮＶＧ１０７からスクリーン１０４までの距離であり、「θｂ」は、ＮＶＧ１０７の所定方向における画角である。
Ｇｂ＝２×Ｄｇ×ｔａｎ（θｂ／２）  ・・・（式２）
【００６６】
一般的に、ＮＶＧ１０７を装着している訓練者１０６の視野の形状は円形である。そのため、ＣＰＵ２０２は、サイズＧｂを直径とする円のサイズを、ＮＶＧ１０７を装着している訓練者１０６の視野のサイズとして算出する。
【００６７】
そして、ＣＰＵ２０２は、投影画像１０５全体のサイズと、ＮＶＧ１０７を装着している訓練者１０６の視野のサイズとの比率から、グラフィック画像の縮小率を決定（算出）する。
【００６８】
Ｓ４０８の次に、Ｓ４０９にて、画像処理部２０８が、ＩＲグラフィック画像データを液晶制御部２０９へ出力する。ＩＲグラフィック画像データは、ＩＲ画像であるグラフィック画像を表す。本実施例では、画像処理部２０８は、ＩＲグラフィック画像データとして、当該ＩＲグラフィック画像データに対応するＲＧＢグラフィック画像データに比べ、主要部分の画像サイズが小さいグラフィック画像データを出力する。ＲＧＢグラフィック画像データは、ＲＧＢ画像であるグラフィック画像を表す。ＩＲグラフィック画像データに対応するＲＧＢグラフィック画像データは、例えば、少なくとも一部の構成要素が当該ＩＲグラフィック画像データと共通するＲＧＢグラフィック画像データである。主要部分は、グラフィック画像の内容をユーザが容易に把握することができる部分である。例えば
、主要部分は、ユーザ操作に必要な構成要素が描かれた部分、訓練者１０６に通知すべきメッセージが記述された部分、等である。
【００６９】
具体的には、ＣＰＵ２０２が、所定のグラフィック画像を表すグラフィック画像データをＲＯＭ２０３から読み出し、読み出したグラフィック画像データを画像処理部２０８へ送信する。例えば、所定のグラフィック画像は、図５（Ａ）の調整メニュー５０１、図５（Ｅ）の警告メッセージ５０５、等である。そして、画像処理部２０８が、ＣＰＵ２０２からの指示に応じて、Ｓ４０８で決定された縮小率で所定のグラフィック画像を縮小する縮小処理を上記グラフィック画像データに施して、ＩＲグラフィック画像データを生成する（図７の縮小処理７０７）。その後、画像処理部２０８が、生成したＩＲグラフィック画像データを出力する。なお、画像処理部２０８は、必要に応じて、ＩＲ画像入力部２０７などから受信したＩＲ画像データと、生成したＩＲグラフィック画像データとを合成する画像合成処理を行い、画像合成処理後の画像データを出力する。
【００７０】
上述したＳ４０８とＳ４０９の処理により、ＩＲグラフィック画像として、図５（Ｃ）の調整メニュー５０３、図５（Ｇ）の警告メッセージ５０６、等が表示される。図５（Ａ）の調整メニュー５０１が縮小されることにより、図５（Ｃ）では、ＮＶＧ１０７を装着している訓練者１０６の視野よりも小さく調整メニュー５０３全体が表示されている。そのため、ＮＶＧ１０７を装着している訓練者１０６は、調整メニュー５０３の全体を容易に確認することができ、調整メニュー５０３を用いたユーザ操作を容易に行うことができる。同様に、図５（Ｅ）の警告メッセージ５０５が縮小されることにより、図５（Ｇ）では、ＮＶＧ１０７を装着している訓練者１０６の視野よりも小さく警告メッセージ５０６全体が表示されている。そのため、ＮＶＧ１０７を装着している訓練者１０６は、警告メッセージ５０６の全体を容易に確認することができ、警告メッセージ５０６の内容を容易に読み取ることができる。
【００７１】
なお、Ｓ４０８とＳ４０９の処理は、上記処理に限られない。例えば、ＩＲグラフィック画像データがＲＯＭ２０３などに予め記録されていてもよい。そして、画像処理部２０８が、ＩＲグラフィック画像データを生成する処理を行わずに、予め用意されたＩＲグラフィック画像データを出力してもよい。例えば、液晶プロジェクタ１００の画角、液晶プロジェクタ１００からスクリーン１０４までの距離、ＮＶＧ１０７の画角、及び、ＮＶＧ１０７からスクリーン１０４までの距離の複数の組み合わせが予め定められる。そして、複数の組み合わせにそれぞれ対応する複数のＩＲグラフィック画像データがＲＯＭ２０３に予め記録される。複数の縮小率にそれぞれ対応する複数のＩＲグラフィック画像データがＲＯＭ２０３に予め記録されてもよい。画像処理部２０８は、ＮＶＧ１０７の装着時における訓練者１０６の視野よりも小さく主要部分が表示されるように、ＩＲグラフィック画像データを出力してもよい。その場合には、ＮＶＧ１０７を装着している訓練者１０６の視野よりも大きくＩＲグラフィック画像全体が表示されてもよい。画像処理部２０８は、所定のグラフィック画像を拡大する処理を行って、対応するＲＧＢグラフィック画像データに比べ主要部分の画像サイズが小さいＩＲグラフィック画像データを生成してもよい。
【００７２】
Ｓ４０９の次に、Ｓ４１０にて、ＣＰＵ２０２が、操作部２０５からの指示信号を監視することにより、ＩＲ画像の表示終了を指示するユーザ操作が行われたか否かを判断する。ＩＲ画像の表示終了を指示するユーザ操作が行われていないと判断された場合には、Ｓ４１１へ処理が進められ、ＩＲ画像の表示終了を指示するユーザ操作が行われたと判断された場合には、Ｓ４１２へ処理が進められる。
【００７３】
Ｓ４１１にて、ＣＰＵ２０２が、操作部２０５からの指示信号を監視することにより、グラフィック画像の表示終了を指示するユーザ操作が行われたか否かを判断する。グラフ
ィック画像の表示終了を指示するユーザ操作が行われていないと判断された場合には、Ｓ４０６へ処理が戻される。Ｓ４０６へ処理が戻されることにより、ＮＶＧ１０７の画角、ＮＶＧ１０７からスクリーン１０４までの距離、等が変化しても、好適なグラフィック画像の表示（図５（Ｃ），５（Ｄ））を維持することができる。グラフィック画像の表示終了を指示するユーザ操作が行われたと判断された場合には、Ｓ４１５へ処理が進められる。Ｓ４１５にて、液晶プロジェクタ１００が、投影画像１０５からグラフィック画像を消去し、図４の処理フローを終了する。
【００７４】
Ｓ４１２にて、画像処理部２０８が、ＣＰＵ２０２からの指示に応じて、縮小処理の実行を解除（停止）する。次に、Ｓ４１３にて、画像処理部２０８が、ＲＧＢグラフィック画像データを液晶制御部２０９へ出力する。例えば、画像処理部２０８は、ＩＲグラフィック画像データから、当該ＩＲグラフィック画像データに対応するＲＧＢグラフィック画像データへ、出力するグラフィック画像データを切り替える。本実施例では、縮小処理が施されていないＲＧＢグラフィック画像データ（ＲＯＭ２０３などに予め記録されたグラフィック画像データ；所定のグラフィック画像を表すグラフィック画像データ）が出力される。それにより、ＲＧＢグラフィック画像として、図５（Ａ）の調整メニュー５０１、図５（Ｅ）の警告メッセージ５０５、等が表示される。なお、画像処理部２０８は、Ｓ４０８で決定された縮小率よりも低い縮小率で所定のグラフィック画像を縮小する処理を行って、対応するＩＲグラフィック画像データに比べ主要部分の画像サイズが大きいＲＧＢグラフィック画像データを生成してもよい。画像処理部２０８は、ＩＲグラフィック画像、所定のグラフィック画像、等を拡大する処理を行って、対応するＩＲグラフィック画像データに比べ主要部分の画像サイズが大きいＲＧＢグラフィック画像データを生成してもよい。
【００７５】
本実施例では、ＩＲ画像が表示される場合に、画像処理部２０８は、ＩＲグラフィック画像データを出力する。例えば、画像処理部２０８は、ＩＲ画像の表示終了を指示するユーザ操作に応じたタイミングから、ＩＲ画像の表示終了を指示するユーザ操作に応じたタイミングまでの期間において、ＩＲグラフィック画像データを出力する。
【００７６】
そして、上述したＳ４１０、Ｓ４１２、及び、Ｓ４１３の処理により、画像処理部２０８は、ＩＲ画像が表示されなくなるタイミングで、ＩＲグラフィック画像データからＲＧＢグラフィック画像データへ、出力するグラフィック画像データを切り替える。具体的には、画像処理部２０８は、ＩＲ画像の表示終了を指示するユーザ操作に応じたタイミングで、ＩＲグラフィック画像データからＲＧＢグラフィック画像データへ、出力するグラフィック画像データを切り替える。
【００７７】
なお、本実施例では、Ｓ４０２の判断結果が「ＩＲ画像の表示が行われない」である場合にも、Ｓ４１３へ処理が進められ、ＲＧＢグラフィック画像が表示される。また、Ｓ４０５の判断結果が「ＣＰＵ２０２がＮＶＧ１０７と通信可能でない」である場合にも、Ｓ４１３へ処理が進められ、ＲＧＢグラフィック画像が表示される。
【００７８】
Ｓ４１３の次に、Ｓ４１４にて、ＣＰＵ２０２が、操作部２０５からの指示信号を監視することにより、グラフィック画像の表示終了を指示するユーザ操作が行われたか否かを判断する。グラフィック画像の表示終了を指示するユーザ操作が行われていないと判断された場合には、Ｓ４０２へ処理が戻され、グラフィック画像の表示終了を指示するユーザ操作が行われたと判断された場合には、Ｓ４１５へ処理が進められる。
【００７９】
以上述べたように、本実施例によれば、ＩＲグラフィック画像データとして、当該ＩＲグラフィック画像データに対応するＲＧＢグラフィック画像データに比べ、主要部分の画像サイズが小さいグラフィック画像データが出力される。具体的には、所定のグラフィッ
ク画像を縮小する縮小処理を行うことによりＩＲグラフィック画像データを生成され、生成されたＩＲグラフィック画像データが出力される。それにより、暗視ゴーグルを装着しているユーザがグラフィック画像を見る際の視認性を向上することができる。
【００８０】
＜実施例２＞
本発明の実施例２について説明する。なお、以下では、実施例１と異なる点（構成、処理、等）について詳しく説明し、実施例１と同じ点についての説明は省略する。
【００８１】
図８は、本実施例に係る液晶プロジェクタ１００の処理フロー例を示すフローチャートである。Ｓ８０１〜Ｓ８０８、Ｓ８１０、Ｓ８１１、及び、Ｓ８１３〜Ｓ８１５の処理は、図４のＳ４０１〜Ｓ４０８、Ｓ４１０、Ｓ４１１、及び、Ｓ４１３〜Ｓ４１５の処理と同様である。本実施例では、図４のＳ４０９の処理の代わりに、Ｓ８０９の処理が行われる。また、図４のＳ４１２の処理の代わりに、Ｓ８１２の処理が行われる。
【００８２】
Ｓ８０９の処理は、大まかには、図４のＳ４０９の処理と同様である。但し、Ｓ８０９では、Ｓ４０９の縮小処理の代わりに、Ｓ８０８で決定された縮小率に基づいて所定のグラフィック画像の構成要素を減らす要素削減処理が行われる。要素削減処理では、ユーザ操作に必要な少なくとも一部の構成要素、訓練者１０６に通知すべき少なくとも一部のメッセージ、等が削除される。なお、縮小処理と要素削減処理の両方が行われてもよい。
【００８３】
本実施例では、Ｓ８０９の処理により、ＩＲグラフィック画像として、図５（Ｄ）の調整メニュー５０４、図５（Ｈ）の警告メッセージ５０７、等が表示される。図５（Ａ）の調整メニュー５０１の２つのスライドバーのうちの１つが削除されることにより、図５（Ｄ）では、ＮＶＧ１０７を装着している訓練者１０６の視野よりも小さく調整メニュー５０４の主要部分が表示されている。そのため、ＮＶＧ１０７を装着している訓練者１０６は、調整メニュー５０４の主要部分を容易に確認することができ、調整メニュー５０４を用いたユーザ操作を容易に行うことができる。なお、ＮＶＧ１０７を装着している訓練者１０６の視野よりも小さくスライドバーの全体が表示されるように図５（Ａ）のスライドバー５０８を縮小することにより、図５（Ｄ）のスライドバー５０９が得られてもよい。同様に、図５（Ｅ）の警告メッセージ５０５の一部「接続を確認してください。」が削除されることにより、図５（Ｈ）では、ＮＶＧ１０７を装着している訓練者１０６の視野よりも小さく警告メッセージ５０７全体が表示されている。そのため、ＮＶＧ１０７を装着している訓練者１０６は、警告メッセージ５０７の全体を容易に確認することができ、警告メッセージ５０７の内容を容易に読み取ることができる。
【００８４】
なお、構成要素の削除方法は特に限定されない。例えば、縮小率と、削除対象の構成要素との対応関係が予め定められていてもよい。そして、Ｓ８０８で決定された縮小率に対応する構成要素（削除対象）が削除されてもよい。構成要素は、例えば、マスク処理により削除される。実施例１で述べたように、画像処理部２０８は、ＩＲグラフィック画像データを生成する処理を行わずに、予め用意されたＩＲグラフィック画像データを出力してもよい。画像処理部２０８は、所定のグラフィック画像の構成要素を増やす処理を行って、対応するＲＧＢグラフィック画像データに比べ構成要素が少ないＩＲグラフィック画像データを生成してもよい。
【００８５】
Ｓ８１２の処理も、大まかには、図４のＳ４１２の処理と同様である。Ｓ８１２にて、画像処理部２０８は、ＣＰＵ２０２からの指示に応じて、要素削減処理の実行を解除（停止）する。なお、画像処理部２０８は、所定のグラフィック画像の構成要素を減らす処理を行って、対応するＩＲグラフィック画像データに比べ構成要素が多いＲＧＢグラフィック画像データを生成してもよい。画像処理部２０８は、ＩＲグラフィック画像、所定のグラフィック画像、等の構成要素を増やす処理を行って、対応するＩＲグラフィック画像デ
ータに比べ構成要素が多いＲＧＢグラフィック画像データを生成してもよい。
【００８６】
以上述べたように、本実施例によれば、所定のグラフィック画像の構成要素を減らす要素削減処理を行うことによりＩＲグラフィック画像データを生成され、生成されたＩＲグラフィック画像データが出力される。それにより、暗視ゴーグルを装着しているユーザがグラフィック画像を見る際の視認性を向上することができる。
【００８７】
＜実施例３＞
本発明の実施例３について説明する。なお、以下では、実施例１と異なる点（構成、処理、等）について詳しく説明し、実施例１と同じ点についての説明は省略する。
【００８８】
図９は、本実施例に係る液晶プロジェクタ１００の処理フロー例を示すフローチャートである。まず、Ｓ９０１にて、図４のＳ４０１と同様に、液晶プロジェクタ１００が図９の処理フローを開始する。
【００８９】
次に、Ｓ９０２にて、図４のＳ４０５と同様に、ＣＰＵ２０２が通信部２１６を介してＮＶＧ１０７と通信可能か否かを、ＣＰＵ２０２が判断する。ＣＰＵ２０２がＮＶＧ１０７と通信可能でないと判断された場合には、Ｓ９１７へ処理が進められる。ＣＰＵ２０２がＮＶＧ１０７と通信可能であると判断された場合には、Ｓ９０３へ処理が進められる。
【００９０】
Ｓ９１７にて、ＣＰＵ２０２が、ＲＧＢ画像を表示するための処理を行う。具体的には、ＣＰＵ２０２の処理により、ＲＧＢ光源２００、画像処理部２０８、及び、液晶制御部２０９を用いて可視光の投影が行われ、ＲＧＢ画像が表示される。その後、Ｓ９１５へ処理が進められる。
【００９１】
Ｓ９０３にて、ＣＰＵ２０２が、ＩＲ画像を表示するための処理を行う。具体的には、ＣＰＵ２０２の処理により、ＩＲ光源２０１、画像処理部２０８、及び、液晶制御部２０９を用いて赤外光の投影が行われ、ＩＲ画像が表示される。その後、Ｓ９０４へ処理が進められる。Ｓ９０４〜Ｓ９０９の処理は、図４のＳ４０３、Ｓ４０４、及び、Ｓ４０６〜Ｓ４０９の処理と同様である。
【００９２】
Ｓ９０９の次に、Ｓ９１０にて、ＣＰＵ２０２がＮＶＧ１０７と通信可能な状態が継続しているか否かを、ＣＰＵ２０２が判断する。Ｓ９１０の判断方法は、Ｓ９０１の判断方法と同様である。ＣＰＵ２０２がＮＶＧ１０７と通信可能であると判断された場合には、Ｓ９１１へ処理が進められる。ＣＰＵ２０２がＮＶＧ１０７と通信可能でないと判断された場合には、Ｓ９１３へ処理が進められる。
【００９３】
Ｓ９１１にて、図４のＳ４１０と同様に、ＣＰＵ２０２が、ＩＲ画像の表示終了を指示するユーザ操作が行われたか否かを判断する。ＩＲ画像の表示終了を指示するユーザ操作が行われていないと判断された場合には、Ｓ９１２へ処理が進められ、ＩＲ画像の表示終了を指示するユーザ操作が行われたと判断された場合には、Ｓ９１３へ処理が進められる。
【００９４】
Ｓ９１３にて、Ｓ９１７と同様に、ＣＰＵ２０２が、ＲＧＢ画像を表示するための処理を行う。それにより、ＩＲ画像の表示が終了され、ＲＧＢ画像の表示が開始される。その後、Ｓ９１４へ処理が進められる。
【００９５】
Ｓ９１２、Ｓ９１４〜Ｓ９１６、及び、Ｓ９１８の処理は、図４のＳ４１１〜Ｓ４１５の処理と同様である。
【００９６】
図９の処理フローによれば、液晶プロジェクタ１００は、ＮＶＧ１０７との通信が可能な期間の少なくとも一部において、ＩＲ画像を表示する。そして、ＩＲ画像が表示される場合に、画像処理部２０８は、ＩＲグラフィック画像データを出力する。例えば、画像処理部２０８は、ＮＶＧ１０７との通信が可能な期間において、ＩＲグラフィック画像データを出力する。さらに、画像処理部２０８は、ＩＲ画像が表示されなくなるタイミングで、ＩＲグラフィック画像データからＲＧＢグラフィック画像データへ、出力するグラフィック画像データを切り替える。具体的には、画像処理部２０８は、液晶プロジェクタ１００とＮＶＧ１０７との通信が不可能になったタイミングで、ＩＲグラフィック画像データからＲＧＢグラフィック画像データへ、出力するグラフィック画像データを切り替える。
【００９７】
なお、本実施例では、Ｓ９１１の判断結果が「ＩＲ画像の表示終了を指示するユーザ操作が行われた」である場合にも、Ｓ９１３〜Ｓ９１５の処理が行われ、ＲＧＢグラフィック画像が表示される。
【００９８】
以上述べたように、本実施例によれば、実施例１と同様に、暗視ゴーグルを装着しているユーザがグラフィック画像を見る際の視認性を向上することができる。さらに、本実施例によれば、液晶プロジェクタ１００とＮＶＧ１０７との通信が可能である場合に、ＩＲ画像の表示が自動で行われる。そのため、ＩＲ画像の表示開始を指示するユーザ操作が不要となり、利便性を向上することができる。
【００９９】
＜実施例４＞
本発明の実施例４について説明する。なお、以下では、実施例３と異なる点（構成、処理、等）について詳しく説明し、実施例３と同じ点についての説明は省略する。
【０１００】
図１０は、本実施例に係る液晶プロジェクタ１００の処理フロー例を示すフローチャートである。Ｓ１００１〜Ｓ１００８、Ｓ１０１０〜１０１３、及び、Ｓ１０１５〜Ｓ１０１８の処理は、図９のＳ９０１〜Ｓ９０８、Ｓ９１０〜９１３、及び、Ｓ９１５〜Ｓ９１８の処理と同様である。本実施例では、図９のＳ９０９の処理の代わりに、Ｓ１００９の処理が行われる。また、図９のＳ９１４の処理の代わりに、Ｓ１０１４の処理が行われる。
【０１０１】
Ｓ１０１０の処理は、図８のＳ８０９の処理と同様である（要素削減処理の実行）。Ｓ１０１４の処理は、図８のＳ８１２の処理と同様である（要素削減処理の実行の解除）。
【０１０２】
以上述べたように、本実施例によれば、実施例２と同様に、暗視ゴーグルを装着しているユーザがグラフィック画像を見る際の視認性を向上することができる。さらに、本実施例によれば、実施例３と同様に、利便性を向上することができる。
【０１０３】
＜実施例５＞
本発明の実施例５について説明する。なお、以下では、実施例１と異なる点（構成、処理、等）について詳しく説明し、実施例１と同じ点についての説明は省略する。
【０１０４】
図１１は、本実施例に係る液晶プロジェクタ１００の処理フロー例を示すフローチャートである。まず、Ｓ１１０１にて、図４のＳ４０１と同様に、液晶プロジェクタ１００が図９の処理フローを開始する。次に、Ｓ１１０２にて、図４のＳ４０２と同様に、ＣＰＵ２０２が、ＩＲ画像の表示が行われるか否かを判断する。ＩＲ画像の表示が行われると判断された場合には、Ｓ１１０３へ処理が進められ、ＩＲ画像の表示が行われないと判断された場合には、Ｓ１１０９へ処理が進められる。
【０１０５】
Ｓ１１０３にて、画像処理部２０８が、ＩＲグラフィック画像の主要部分の画像サイズ
を指定するユーザ操作を補助する補助画像データを液晶制御部２０９へ出力する。具体的には、ＣＰＵ２０２が、予め用意された補助画像データをＲＯＭ２０３から読み出し、読み出した補助画像データを画像処理部２０８へ送信する。そして、画像処理部２０８が、ＣＰＵ２０２からの指示に応じて、補助画像データを液晶制御部２０９へ出力する。それにより、補助画像データに基づく補助画像（ＧＵＩ）が表示される。
【０１０６】
なお、補助画像は、ＯＳＤ画像であってもよいし、そうでなくてもよい。補助画像は、ＲＧＢ画像であってもよいし、ＩＲ画像であってもよい。補助画像がＩＲ画像である場合には、ＮＶＧ１０７を装着している訓練者１０６は、ＮＶＧ１０７を外さずに補助画像を見ることができる。補助画像は表示部２１８に表示されてもよい。
【０１０７】
次に、Ｓ１１０４にて、操作部２０５が、補助画像を用いて主要部分の画像サイズを指定するユーザ操作（サイズ指定操作）を受け付ける。そして、Ｓ１１０５にて、画像処理部２０８が、サイズ指定操作に応じて、ＩＲグラフィック画像データを液晶制御部２０９へ出力する。具体的には、画像処理部２０８は、サイズ指定操作に応じた指示を、ＣＰＵ２０２から受信する。そして、画像処理部２０８は、ＣＰＵ２０２からの上記指示に応じて、主要部分の画像サイズがサイズ指定操作に応じた画像サイズと略等しいＩＲグラフィック画像データを、液晶制御部２０９へ出力する。
【０１０８】
図１２（Ａ）は、補助画像の一例を示す。図１２（Ａ）の補助画像１２０１は、ＩＲグラフィック画像全体のサイズを変更するユーザ操作を補助する補助画像である。ユーザ（訓練者１０６、操作者、等）は、操作部２０５を用いて、図１２（Ａ）のスライドバー１２０２に対するユーザ操作を行うことにより、ＩＲグラフィック画像の垂直方向におけるサイズを指定することができる。同様に、ユーザは、操作部２０５を用いて、図１２（Ａ）のスライドバー１２０３に対するユーザ操作を行うことにより、ＩＲグラフィック画像の水平方向におけるサイズを指定することができる。スライドバー１２０２，１２０３に対するユーザ操作により、実施例１（図５（Ｃ），５（Ｇ））のように縮小されたＩＲグラフィック画像を表示することができる。
【０１０９】
図１２（Ｂ）は、補助画像の他の例を示す。図１２（Ｂ）の補助画像１２０４は、ＩＲグラフィック画像の構成要素の数を変更するユーザ操作を補助する補助画像である。ユーザ（訓練者１０６、操作者、等）は、操作部２０５を用いて、図１２（Ｂ）のスライドバー１２０５に対するユーザ操作を行うことにより、ＩＲグラフィック画像の構成要素の数を指定することができる。スライドバー１２０５に対するユーザ操作により、実施例２（図５（Ｄ），５（Ｈ））のように構成要素が削減されたＩＲグラフィック画像を表示することができる。補助画像のタブに対するユーザ操作などにより、図１２（Ａ）の補助画像１２０１の表示と図１２（Ｂ）の補助画像１２０４の表示とが切り替え可能であってもよい。
【０１１０】
Ｓ１１０５の次に、Ｓ１１０６にて、ＣＰＵ２０２が、操作部２０５からの指示信号を監視することにより、ＩＲグラフィック画像の確定を指示するユーザ操作が行われたか否かを判断する。ＩＲグラフィック画像の確定を指示するユーザ操作が行われていないと判断された場合には、Ｓ１１０４へ処理が戻される。ＩＲグラフィック画像の確定を指示するユーザ操作が行われたと判断された場合には、スクリーン１０４から補助画像が消去され、Ｓ１１０７へ処理が進められる。
【０１１１】
Ｓ１１０７にて、図４のＳ４１０と同様に、ＣＰＵ２０２が、ＩＲ画像の表示終了を指示するユーザ操作が行われたか否かを判断する。ＩＲ画像の表示終了を指示するユーザ操作が行われていないと判断された場合には、Ｓ１１１１へ処理が進められ、ＩＲ画像の表示終了を指示するユーザ操作が行われたと判断された場合には、Ｓ１１０８へ処理が進め
られる。
【０１１２】
Ｓ１１１１にて、図４のＳ４１１と同様に、ＣＰＵ２０２が、グラフィック画像の表示終了を指示するユーザ操作が行われたか否かを判断する。グラフィック画像の表示終了を指示するユーザ操作が行われていないと判断された場合には、Ｓ１１１２へ処理が進められる。グラフィック画像の表示終了を指示するユーザ操作が行われたと判断された場合には、Ｓ１１１３へ処理が進められる。Ｓ１１１３にて、液晶プロジェクタ１００が、投影画像１０５からグラフィック画像を消去し、図１１の処理フローを終了する。
【０１１３】
Ｓ１１１２にて、ＣＰＵ２０２が、操作部２０５からの指示信号を監視することにより、補助画像の表示を指示するユーザ操作が行われたか否かを判断する。補助画像の表示を指示するユーザ操作が行われていないと判断された場合には、Ｓ１１０５へ処理が戻され、ＩＲグラフィック画像の表示が継続される。補助画像の表示を指示するユーザ操作が行われたと判断された場合には、Ｓ１１０３へ処理が戻され、ＩＲグラフィック画像の表示が継続されると共に、補助画像が表示される。そのため、サイズ指定操作を受け付けることが可能となり、ＩＲグラフィック画像の主要部分の画像サイズを変更することが可能となる。
【０１１４】
Ｓ１１０８にて、画像処理部２０８が、ＣＰＵ２０２からの指示に応じて、サイズ指定操作を無効化する。そして、Ｓ１１０９へ処理が進められる。Ｓ１１０９にて、図４のＳ４１３と同様に、画像処理部２０８が、ＲＧＢグラフィック画像データを液晶制御部２０９へ出力する。そして、Ｓ１１１０にて、図４のＳ４１４と同様に、ＣＰＵ２０２が、グラフィック画像の表示終了を指示するユーザ操作が行われたか否かを判断する。グラフィック画像の表示終了を指示するユーザ操作が行われていないと判断された場合には、Ｓ１１０２へ処理が戻され、グラフィック画像の表示終了を指示するユーザ操作が行われたと判断された場合には、Ｓ１１１３へ処理が進められる。
【０１１５】
以上述べたように、本実施例によれば、ＩＲグラフィック画像データを出力する際に、主要部分の画像サイズを指定するユーザ操作を補助する補助画像データが出力される。そして、主要部分の画像サイズを指定するユーザ操作に応じて、ＩＲグラフィック画像データが出力される。それにより、暗視ゴーグルを装着しているユーザがグラフィック画像を見る際の視認性をより向上したり、利便性を向上したりすることができる。例えば、ユーザが所望する画像サイズと略等しい画像サイズで主要部分が表示されるように、ＩＲグラフィック画像を表示することができる。
【０１１６】
＜実施例６＞
以下、本発明の実施例６について説明する。なお、以下では、実施例３，５と異なる点（構成、処理、等）について詳しく説明し、実施例３，５と同じ点についての説明は省略する。
【０１１７】
図１３は、本実施例に係る液晶プロジェクタ１００の処理フロー例を示すフローチャートである。Ｓ１３０１〜Ｓ１３０３、Ｓ１３０８〜Ｓ１３１１、Ｓ１３１３、Ｓ１３１４、Ｓ１３１６、Ｓ１３１７の処理は、図９のＳ９０１〜Ｓ９０３、Ｓ９１０〜Ｓ９１３、Ｓ９１５、Ｓ９１６、Ｓ９１７、Ｓ９１８の処理と同様である。本実施例では、Ｓ１３０３の処理とＳ１３０８の処理との間に、Ｓ１３０４〜Ｓ１３０７の処理が行われる。Ｓ１３０４〜Ｓ１３０７の処理は、図１１のＳ１１０３〜Ｓ１１０６の処理と同様である。また、本実施例では、Ｓ１３１１の処理とＳ１３１３の処理との間に、Ｓ１３１２の処理が行われる。Ｓ１３１２の処理は、図１１のＳ１１０８の処理と同様である。そして、本実施例では、Ｓ１３１０の判断結果が「グラフィック画像の表示終了を指示するユーザ操作が行われていない」である場合に、Ｓ１３１５の処理が行われる。Ｓ１３１５の処理は、
図１１のＳ１１１２の処理と同じである。
【０１１８】
以上述べたように、本実施例によれば、実施例５と同様に、暗視ゴーグルを装着しているユーザがグラフィック画像を見る際の視認性をより向上したり、利便性を向上したりすることができる。また、実施例３と同様に、ＩＲ画像の表示開始を指示するユーザ操作が不要となる（利便性の向上）。
【０１１９】
実施例１〜６の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１２０】
実施例１〜６はあくまで一例であり、本発明の要旨の範囲内で実施例１〜６の構成を適宜変形したり変更したりすることにより得られる構成も、本発明に含まれる。実施例１〜６の構成を適宜組み合わせて得られる構成も、本発明に含まれる。
【０１２１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２２】
１００：液晶プロジェクタ  ２０８：画像処理部
【図１】
2018182637.tif 000003
【図２】
2018182637.tif 000004
【図３】
2018182637.tif 000005
【図４】
2018182637.tif 000006
【図５】
2018182637.tif 000007
【図６】
2018182637.tif 000008
【図７】
2018182637.tif 000009
【図８】
2018182637.tif 000010
【図９】
2018182637.tif 000011
【図１０】
2018182637.tif 000012
【図１１】
2018182637.tif 000013
【図１２】
2018182637.tif 000014
【図１３】
2018182637.tif 000015